(57)【要約】【課題】コンテンツのダウンロードの特定時間への集中が多くなるとダウンロードサービスを提供しているサーバの上限を超えるアクセスが集中し、サーバの処理能力を超えて通信障害の原因となっている。【解決手段】ポイント管理サーバは利用者の通信端末からのダウンロードの要求を受信する送受信手段３３と、前記通信端末に前記コンテンツサーバからのダウンロードの許可をするダウンロード許可手段３２と、前記通信端末がダウンロードを完了するとポイントを加算するポイント加算手段３０と、前記加算手段で加算されたポイントと利用者の利用回数を管理するポイント管理手段３１と、前記通信端末から受信した要求から要求者情報を作成するログ作成手段３４とを含むポイント管理サーバ。【選択図】図２
2005078504.tif 000002
【特許請求の範囲】
【請求項１】
通信端末から情報ネットワークを介してコンテンツサーバからソフトウェアのダウンロードし、利用者は報酬を得ることができるポイント管理サーバであって、
前記ポイント管理サーバは利用者の前記通信端末からのダウンロードの要求を受信する送受信手段と、
前記通信端末に前記コンテンツサーバからのダウンロードの許可をするダウンロード許可手段と、
前記通信端末がダウンロードを完了するとポイントを加算するポイント加算手段と、
前記加算手段で加算されたポイントと利用者の利用回数を管理するポイント管理手段と、
前記通信端末から受信した要求から要求者情報を作成するログ作成手段とを含むポイント管理サーバ。
【請求項２】
前記要求者情報は前記通信端末から要求された日時、曜日、ダウンロードを希望するファイル名、利用者が利用している基地局エリア名などのいずれかの要求者情報が記載されていることを特徴とする請求項１記載のポイント管理サーバ。
【請求項３】
前記ダウンロード許可手段は、前記通信端末に対して希望するダウンロードファイルの所在を指示することを特徴とする請求項１記載のポイント管理サーバ。
【請求項４】
前記ポイント加算手段は、時間帯に応じたポイントが記載されたポイント加算区分テーブルを基準として前記ログ手段から得られた要求者情報をもとに利用者が得られる加算ポイント数を割り出すことを特徴とする請求項１に記載のポイント管理サーバ。
【請求項５】
前記ポイント管理手段は、利用者名と利用者の利用回数とポイント数を保存しているポイント記憶メモリを備えていることを特徴とする請求項１記載のポイント管理サーバ。
【請求項６】
前記ポイント管理手段は前記ポイント加算手段によって割り出された加算ポイント数を前記ポイント記憶メモリに保存している利用者のポイント数に加算し、
利用回数を１回加算することを特徴とする請求項５記載のポイント管理サーバ。
【請求項７】
前記ポイント管理手段は前記通信端末の画面に更新した情報を表示させることを特徴とする請求項５または６記載のポイント管理サーバ。
【請求項８】
前記ポイント加算区分テーブルは前記コンテンツサーバならびにネットワークの運用状態からポイント設定数を変更することを特徴とする請求項４記載のポイント管理サーバ。
【請求項９】
前記ポイント加算区分テーブルは前記情報ネットワークの運用状態からポイント設定数を変更することを特徴とする請求項４記載のポイント管理サーバ。
【請求項１０】
前記ポイント加算区分テーブルは前記利用回数からポイント設定数を変更することを特徴とする請求項４記載のポイント管理サーバ。
【請求項１１】
通信端末から情報ネットワークを介してコンテンツサーバからソフトウェアのダウンロードを行うと利用者は報酬を得ることができるポイント管理サーバを利用したポイント管理システムにおいて、
前記ポイント管理サーバは利用者の前記通信端末からのダウンロードの要求を受信する送受信手段と前記通信端末にコンテンツサーバからのダウンロードの許可を行うダウンロード許可手段と、前記通信端末がダウンロードを完了するとポイントが加算するポイント加算手段と、前記加算手段で加算されたポイント管理するポイント管理手段と要求者情報を作成するログ作成手段を備えていることを特徴とするポイント管理システム。
【請求項１２】
前記要求者情報は前記通信端末から要求された日時、曜日、ダウンロードを希望するファイル名、利用者が利用している基地局エリア名などのいずれかの要求者情報が記載されていることを特徴とする請求項１１記載のポイント管理システム。
【請求項１３】
前記ダウンロード許可手段は、前記通信端末に対して希望するダウンロードファイルの所在を指示することを特徴とする請求項１１記載のポイント管理システム。
【請求項１４】
前記ポイント管理区分テーブルは時間帯に応じたポイント数が記載され、前記要求者情報から利用者が得られるポイントを割り出すことを特徴とする請求項１１記載のポイント管理システム。
【請求項１５】
前記ポイント管理手段は、利用者名と利用者の利用回数とポイント数を保存しているポイント記憶メモリを備えていることを特徴とする請求項１１記載のポイント管理システム。
【請求項１６】
前記ポイント管理手段は、前記ポイント加算手段によって割り出された加算ポイント数を前記ポイント記憶メモリに保存されている利用者のポイント数に加算し、
また利用回数を１回加算することを特徴とする請求項１５記載のポイント管理システム。
【請求項１７】
前記ポイント管理手段は前記通信端末の画面に更新した情報を表示させることを特徴とする請求項１５または１６記載のポイント管理システム。
【請求項１８】
前記ポイント加算区分テーブルは前記コンテンツサーバの運用状態からポイント設定数を変更することを特徴とする請求項１１記載のポイント管理システム。
【請求項１９】
前記ポイント加算区分テーブルは前記情報ネットワークの運用状態からポイント設定数を変更することを特徴とする請求項１１記載のポイント管理システム。
【請求項２０】
前記ポイント加算区分テーブルは前記利用回数からポイント設定数を変更することを特徴とする請求項１１記載のポイント管理システム。
【発明の詳細な説明】
【技術分野】
【０００１】
本発明は、インターネットを利用したプログラムのダウンロードを促進させるために利用者に報酬を与えるポイント管理サーバに関するものである。
【背景技術】
【０００２】
インターネットのような自由なネットワーク環境を利用してさまざまなインターネットビジネスが運用されている。特にソフトウェアの修正を行う修正ファイルのダウンロード（特許文献１）や、ゲーム、楽曲、画像などのダウンロードサービス(特許文献２)が増えてきている。例えば楽曲のファイルをダウンロードする場合はブラウザを起動させ、楽曲提供サイトへ接続し、楽曲ファイルをダウンロードすればよい。また多くのダウンロードサービスではダウンロードが行われた際に利用者に利用に応じて一定のポイントや報酬を渡すもの多い。
【０００３】
さらにインターネットビジネスのサービス提供側が２４時間提供サイトを運営している限り、利用者はいつでもダウンロードを行うことができる。しかし実際は２２時〜３時がインターネット利用率の最も高い時間帯であり、またダウンロードサービスの利用率が高い時間帯でもある。そのため、特定の時間帯になると多くの利用者のアクセスが集中してしまうこともある。
【０００４】
【特許文献１】特開２００２−２０７５９９
【特許文献２】特開２００２−２４５２６３
【発明の開示】
【発明が解決しようとする課題】
【０００５】
従来技術では利用しているネットワーク、及びコンテンツサーバへのトラフィック状態については全く考えられておらず、また利用者の利用時間が特定の時間に集中することが多く、一時に多くの利用者からダウンロードが集中するとそのサービスの上限を超えるアクセスが集中するので、ダウンロードサービスを提供しているサーバの処理能力を超えてしまうことがあり、通信障害の原因となっていた。
【０００６】
本発明が解決しようとする課題は利用しているネットワークのトラフィック状態に応じて、利用者のダウンロードの要求タイミングをネットワークならびにコンテンツサーバの状況が空いている時間帯へ促し、ネットワークならびにコンテンツにアクセスが集中しないようにするものである。
【課題を解決するための手段】
【０００７】
前記課題を解決するため、本発明は利用者の通信端末から情報ネットワークを介して要求を受け、ダウンロードサーバの所在を指示し、利用者のサービス利用ポイントの加算を行うポイント管理サーバと、コンテンツが管理されているコンテンツサーバを備えている。
【０００８】
また本発明のポイント管理サーバでは、利用者のポイントを加算するポイント加算手段とそのポイントを管理するポイント管理手段とポイント管理手段内に利用者情報を保存するポイント記憶メモリ、通信端末からの要求を受信する送受信手段と受信した情報からログを作成するログ作成手段と、通信端末からの要求を受信した時間を確定する時計、ログを保存するログメモリと、送受信手段を利用してコンテンツサーバへのダウンロードを指示するダウンロード指示手段と、利用者のポイント加算数を決定するポイント加算区分テーブルと、サーバを制御する制御部を備えていることを特徴としている。
【発明の効果】
【０００９】
本発明によれば、ポイント管理サーバ内に設けられたポイント加算区分テーブルにおいてサービス提供者がポイント数を自由に設定することでコンテンツサーバならびにネットワークへのアクセス集中を防ぐことができ、情報ネットワークの通信障害を未然に防ぐことができる。
【発明を実施するための最良の形態】
【００１０】
（実施例１）
本発明の第一の実施例を図面を用いて説明する。図1は本発明の第一の実施例のシステム構成を示したブロック図である。本発明のポイント管理システムは利用者が使用する通信端末の一例である携帯電話端末１と、携帯電話端末１が接続される情報ネットワーク２と、情報ネットワークを通して携帯電話端末１からの要求を受けるポイント管理サーバ３とコンテンツが管理されているそれぞれのコンテンツサーバ４を有する。
【００１１】
図２はポイント管理サーバ４の内部構成を示す構成図である。ポイント管理サーバ４は利用者のポイントを加算するポイント加算手段３０と、そのポイントを管理するポイント管理手段３１とポイント管理手段３１内に利用者情報が保存するポイント記憶メモリ３８と、携帯電話端末１からの要求を受信する送受信手段３３と受信した情報からログを作成するログ作成手段３４と、携帯端末１からの要求を受信した時間を確定する時計３５、ログを保存するログメモリ３７と、送受信手段３３を利用してコンテンツサーバへのダウンロードを指示するダウンロード指示手段３２と、利用者のポイント加算数を決定するポイント加算区分テーブル３６と、サーバ全体の処理の流れを制御する制御部３９とを備えている。
【００１２】
図３は本発明の第一の実施例の処理を示すフローチャートである。携帯通信端末１から選択されたダウンロードファイルの要求をポイント管理サーバ３が受ける（Ｓ１）と、ログ作成手段１４が要求された要求者情報として要求者名と要求を受けた日時を時計１５より得てログを作成し、ログメモリ１７へ保存する（Ｓ２）。ログが作成されると所定コンテンツサーバ５へ要求を受けた携帯電話端末１へダウンロードするようにダウンロード指示手段３２から指示を出す（Ｓ３）。コンテンツサーバ４はポイント管理サーバ３からのダウンロード指示を受け、携帯電話端末１へのダウンロードを開始する（Ｓ４）。携帯電話端末１側でダウンロードが完了すると携帯電話端末１はダウンロードが終了したことをコンテンツサーバ４に通知する（Ｓ５）。コンテンツサーバ４がダウンロード終了通知を受けるとポイント管理サーバ３にダウンロードが終了したことを通知する（Ｓ６）。ポイント管理サーバ４のメモリからダウンロードを要求した時のログを検索し、ログに記載された要求者情報から日時を抽出しする。
【００１３】
なお、要求者情報については要求者名、日時、ダウンロードファイル名、ダウンロードファイルの種別、サービス利用回数などでもよい。
【００１４】
図４はポイント加算区分テーブル１６の一例を示す表図である。ポイント管理サーバ内にあるポイント加算区分テーブル１６に要求者情報を照会する（Ｓ７）。例えば８月１日１７時５４分にファイルの要求をすると、要求日時は１７時５４分なので、図４から見るとポイントが８点なので、ポイント８点が加算されることになる。ポイント記憶メモリ３８から前回までの利用者のポイント数が呼び出され、ポイント８点が前回までの利用者ポイントに加算される（Ｓ８）。利用者のポイントと利用回数が更新されると、ポイント管理サーバ３の送受信手段は最新のポイント数を携帯電話端末１の利用者が携帯電話端末１の画面で確認できるようにメールなどで通知する（Ｓ９）。
【００１５】
図４のポイント加算区分テーブル１６中に記載されているポイント数は一般的な情報ネットワークの混み具合状況に合わせている。つまり、情報ネットワークが混んでいる時間帯はポイント数を低めに設定し、逆に情報ネットワークが空いている時間帯にはポイント数は高めに設定することでポイントを稼ぎたい利用者を空いている時間帯に呼び込むことができ、結果利用者数を調節することが可能となる。
【００１６】
図２の制御部３９はポイント数を情報ネットワーク２のトラフィック状態から判断して、ポイント加算区分テーブル１６のポイント変動することが好ましい。また、制御部３９はポイント数を通信事業者（ＮＴＴなど）から利用しているネットワークのトラフィック情報などを要求して、ネットワークのトラフックが一定数を超えた場合に変動するようにしてもよい。
【００１７】
（実施例２）
図５は実施例２におけるポイント管理サーバ３のポイント加算区分テーブル１６の一例を示す表図である。実施例２は実施例１と同じ図１、図２および図３の構成を用いているため、構成についての説明は省略する。
【００１８】
図５はダウンロードファイルの種別によってポイント数を設定している。実施例２ではその種別は制御部３９によって判断される。コンテンツサーバ４へのアクセスが一定数を超えた場合、コンテンツサーバ４からポイント管理サーバ３へアクセスが一定数を越えた旨を通知するように設定されることが好ましい。さらにポイント管理サーバ３はコンテンツサーバ４からアクセスを一定数受けた旨の通知を受けると、図５のポイント加算区分テーブル１６のポイント数の値を自動的に変更することが好ましい。
【００１９】
（実施例３）
図６は実施例３におけるポイント管理サーバ３のポイント管理区分テーブル１６の一例を示す表図である。実施例３は実施例１と同じ図１、図２および図３の構成を用いているため、構成についての説明は省略する。
【００２０】
図６は時間と利用者のサービス利用回数に応じたポイント数を設定している。利用者の利用回数はそれぞれポイント記憶メモリ３８に保存されているので、要求者名からサービス利用回数をポイント記憶メモリ３８から呼び出し、それをもとにポイントの参照を行う。
【００２１】
（実施例４）
図７は実施例４におけるポイント管理サーバ３のポイント管理区分テーブル１６の一例を示す表図である。実施例４は実施例１と同じ図１、図２および図３の構成を用いているため、構成についての説明は省略する。
【００２２】
図７は時間と曜日に応じてポイント数を設定している。一般的には平日と土日では利用者の利用時間帯が変化するため、実施例４では利用者の利用時間と曜日からポイントの参照を行う。
【００２３】
その他にもポイント加算区分テーブル１６は携帯端末機種、携帯端末の発信基地局など
多くのカテゴリーを掛け合わせてサービス提供者側が自由にポイント数を変更してもよい。
【図面の簡単な説明】
【００２４】
【図１】本発明に係るポイント管理システムの構成を示したブロック図である。
【図２】本発明に係るポイント管理サーバの構成を示したブロック図である。
【図３】本発明に係るポイント管理システムの工程を示したフローチャートである。
【図４】本発明の実施例１に係るポイント管理システムのポイント加算区分一覧の一例を示した表図である。
【図５】本発明の実施例２に係るポイント管理システムのポイント加算区分一覧の一例を示した表図である。
【図６】本発明の実施例３に係るポイント管理システムのポイント加算区分一覧の一例を示した表図である。
【図７】本発明の実施例４に係るポイント管理システムのポイント加算区分一覧の一例を示した表図である。
【符号の説明】
【００２５】
１    携帯電話端末
２    情報ネットワーク
３    ポイント管理サーバ
４    コンテンツサーバ
３０  ポイント加算手段
３１  ポイント管理手段
３２  ダウンロード指示手段
３３  送受信手段
３４  ログ作成手段
３５  時計
３６  ポイント加算区分テーブル
３７  ログメモリ
３８  ポイント記憶メモリ
３９  制御部
【図１】
2005078504.tif 000003
【図２】
2005078504.tif 000004
【図３】
2005078504.tif 000005
【図４】
2005078504.tif 000006
【図５】
2005078504.tif 000007
【図６】
2005078504.tif 000008
【図７】
2005078504.tif 000009